(57)【特許請求の範囲】
【請求項１】
上面に開口部７を有する水槽３の開口部７周囲にフランジ部１０を設け、水槽３上側開口部７を可撓性シート２で覆い、固定枠１２と該固定枠１２を押圧固定する止め具１３で可撓性シート２をフランジ部１０に押さえつけて可撓性シート２を固定する構造を有する水圧マッサージ機１において、
フランジ部１０は段差部２４を有し、前記固定枠１２を、断面を逆Ｌ字形にした逆Ｌ字形固定枠２６とし、可撓性シート２張設時に、可撓性シート２をフランジ部１０に載せ、フランジ部１０と可撓性シート２とに止め具１３を貫通し、止め具１３が仮止め作用を現わすようにし、逆Ｌ字形固定枠２６をフランジ部１０の外壁縦状部１０ａに取着したことを特徴とする水圧マッサージ機のシート固定構造。
【請求項２】
上面に開口部７を有する水槽３の開口部７周囲にフランジ部１０を設け、水槽３上側開口部７を可撓性シート２で覆い、固定枠１２とこれを押圧固定する止め具１３で可撓性シート２をフランジ部１０に押さえつけて可撓性シート２を固定する構造を有する水圧マッサージ機１において、
固定枠１２に可撓性シート２を仮止めする仮止め部１１を設け、可撓性シート２の張設時に所定の張力を容易に得られるようにしたものであり、前記固定枠１２を、断面がＬ字形のＬ字形固定枠２５とし、Ｌ字形固定枠２５の上向き縦部２５ａの外面には外方に向かって前記仮止め部１１が突設されることを特徴とする水圧マッサージ機のシート固定構造。
【請求項３】
上面に開口部７を有する水槽３の開口部７周囲にフランジ部１０を設け、水槽３上側開口部７を可撓性シート２で覆い、固定枠１２とこれを押圧固定する止め具１３で可撓性シート２をフランジ部１０に押さえ付けて可撓性シート２を固定する構造を有する水圧マッサージ機１において、
フランジ部１０及び固定枠１２は段差部２４を有し、フランジ部１０に可撓性シート２を仮止めする仮止め部１１を設け、可撓性シート２の張設時に所定の張力を容易に得られるようにしたものであり、前記固定枠１２を断面が伏せ椀形の伏せ椀形固定枠２９としたことを特徴とする水圧マッサージ機のシート固定構造。
【発明の詳細な説明】
【０００１】
【産業上の利用分野】
本発明は、臥姿勢の人体（＝患者）の頸部、体幹及び下肢を、噴流水圧によりマッサージする水圧マッサージ機のシート固定構造に関する。
【０００２】
【従来の技術】
従来の技術として、特開平８−２５２２９３号公報に、可撓性シート、水槽、ウォーターベッド、吸水口、吐水口、循環ポンプ、ノズル等を有するウォーターベッド式マッサージ機が開示されている。該ウォーターベッド式マッサージ機の可撓性シートは、水槽のフランジ部に形成された溝部に一旦折り込み、同溝部にシール用枠を嵌合して固定されている。
【０００３】
【発明が解決しようとする課題】
前記した従来可撓性シート固定構造は、可撓性シートを溝部に折り込むものであるから、可撓性シートが痛み易く、又、折り込みの手数が掛かり、シール用枠を溝部に嵌合するものであるからこれらの構成部品の精度が要求され、それだけ製作面で経費が嵩むという難点がある。
【０００４】
本発明の目的は、上記難点を解決したものであり、製作が容易で、可撓性シートの耐久性の良い水圧マッサージ機のシート固定構造を提供することにある。
【０００５】
【課題を解決するための手段】
即ち本発明は、上面に開口部７を有する水槽３の開口部７周囲にフランジ部１０を設け、水槽３上側開口部７を可撓性シート２で覆い、固定枠１２と該固定枠１２を押圧固定する止め具１３で可撓性シート２をフランジ部１０に押さえ付けて可撓性シート２を固定する構造を有する水圧マッサージ機１において、フランジ部１０は段差部２４を有し、前記固定枠１２を、断面を逆Ｌ字形にした逆Ｌ字形固定枠２６とし、可撓性シート２張設時に、可撓性シート２をフランジ部１０に載せ、フランジ部１０と可撓性シート２とに止め具１３を貫通し、止め具１３が仮止め作用を現わすようにし、逆Ｌ字形固定枠２６をフランジ部１０の外壁縦状部１０ａに取着したことを特徴とする水圧マッサージ機のシート固定構造である。
或いは、固定枠１２に可撓性シート２を仮止めする仮止め部１１を設け、可撓性シート２の張設時に所定の張力を容易に得られるようにしたものであり、前記固定枠１２を、断面がＬ字形のＬ字形固定枠２５とし、Ｌ字形固定枠２５の上向き縦部２５ａの外面には外方に向かって前記仮止め部１１が突設される。
或いは、フランジ部１０及び固定枠１２は段差部２４を有し、フランジ部１０に可撓性シート２を仮止めする仮止め部１１を設け、可撓性シート２の張設時に所定の張力を容易に得られるようにしたものであり、前記固定枠１２を断面が伏せ椀形の伏せ椀形固定枠２９とする。
【０００６】
【作用】
本発明の水圧マッサージ機１に係る水槽３に水を満たし、水槽３の開口部７に張設した可撓性シート２に患者を乗せ、該患者に噴射水圧によるマッサージを施す。
【０００７】
上面に開口部７を有する水槽３の開口部７周囲に設けられるフランジ部１０に、水槽３上側開口部７を覆う前記可撓性シート２を、止着する。この止着作業の際、フランジ部１０にあてがった前記可撓性シート２の外側に、固定枠１２をあて、固定枠１２を止め具１３で押さえ止め、当該可撓性シート２をフランジ部１０に固定する。
【０００８】
フランジ部１０及び／又は固定枠１２に設けられた段差部２４は、該段差部２４に密着載置する可撓性シート２を曲折させ、フランジ部１０と可撓性シート２との間に生じる摩擦抵抗を増加させる。更に、可撓性シート２の張設時に段差部２４は、該シート２に所定の張力の獲得を容易にする。
【０００９】
フランジ部１０及び／又は固定枠１２が有するシール用突起部３３は、前記可撓性シート２と、フランジ部１０及び／又は固定枠１２の間に生ずる摩擦抵抗を増し、可撓性シート２の固定を確実にする。
【００１０】
フランジ部１０又は固定枠１２に設けられる凹部３６は、フランジ部１０又は固定枠１２に設けられるシール用突起部３３に相対する部分に有り、前記可撓性シート２と、凹部３６及びシール用突起部３３の間に生ずる摩擦抵抗を増し、可撓性シート２の固定を確実にする。
【００１１】
水槽３のフランジ部１０と可撓性シート２との間に設けられたシール用部材３７は、固定枠１２で押さえられる可撓性シート２とフランジ部１０との間をシールする。
【００１２】
フランジ部１０又は固定枠１２に設けられる仮止め部１１は、可撓性シート２の張設作業時に該シート２を浴槽の開口部７へ仮止めする。可撓性シート２の張設時に仮止め部１１は前記可撓性シート２に所定の張力の獲得を容易にする。
【００１３】
【実施例】
図１に参考例１を示し、図２及び２２に本発明に係る水圧マッサージ機１の可撓性シート２を水槽３へ固定するシート固定構造４の第１実施例を示している。参考例１は本発明の基礎となる構成である。
【００１４】
参考例１は、内部に水を満たす水槽３と、水槽３内にあって水槽３の長手方向に移動可能に設けられるノズル機構５と、ノズル機構５に水を供給する循環ポンプ６と、水槽３の開口部７を水密に覆う可撓性シート２と、可撓性シート２上に載置される枕８とからなる。
【００１５】
水槽３は、筐体９の中に設けてなる平面視長方形の略直方体の容器であり、上面は開口した開口部７である。
【００１６】
水槽３の開口部７周囲にはフランジ部１０が設けられる。フランジ部１０には中央側から端側に向かって下降する段差部２４が形成される。
フランジ部１０には、開口部７を覆う可撓性シート２を該フランジ部１０に押さえ付けて固定するシート固定構造４を有する。
又、フランジ部１０の端部に、可撓性シート２を開口部７に張設する時、可撓性シート２を仮止めする仮止め部１１が設けられる。
【００１７】
前記水槽３の前・後部にはカバー３８が取着される。
尚、水槽３の形状は、平面視長方形に限定されるものではなく、平面視楕円形、又は、正方形であってもよい。
【００１８】
シート固定構造４は、フランジ部１０の表面にあって可撓性シート２に載せる固定枠１２と、該固定枠１２とフランジ部１０の間に可撓性シート２を挟んでおいて固定枠１２をフランジ部１０側に引き寄せ、可撓性シート２をフランジ部１０に押圧固定する止め具１３（具体例ではボルトとナット）とからなる。
フランジ部１０の外壁縦状部１０ａの外面には外方に向かって仮止め部１１が突設される。固定枠１２には適宜な補強曲げ部１２ａが形成される。
【００１９】
前記可撓性シート２は、ゴムその他の伸縮材で製作され、水槽３の全周縁に止め具１３で止着される。
【００２０】
前記ノズル機構５は、水槽３の底壁１４に載置され水槽３の長手方向に移動可能な台車１５と、水槽３の長手方向に掛け渡され台車１５を移動させる螺子軸１６と、台車１５の上部に設けられるノズル１７とからなる。
【００２１】
螺子軸１６は、台車１５に設けられる雌螺子（図示省略）に螺着される。螺子軸１６は、水槽３の外側でモーター１８に連結される。
【００２２】
ノズル１７の側面には取水口１９が設けられ、台車１５の下部には底壁１４上を転動する車輪２０が設けられる。
【００２３】
循環ポンプ６は、水槽３内の水を底壁１４に開設された吸入口２１から吸入し、加圧し、加圧した圧力水を前記ノズル１７へ付与するものである。
循環ポンプ６の吐出口２２に基端が取着されたホース２３の先端は底壁１４を貫通し台車１５の取水口１９に接続される。
前記ノズル１７から圧力水が噴射される。噴射水は、可撓性シート２を介して、患者に当たり、患者を押圧刺激する。
【００２４】
枕８は、可撓性シート２の上に載置され、断熱素材で製作される。尚、断熱素材が吸振作用を有する素材であってもよい。
【００２５】
図８に示す第１実施例は、参考例１における固定枠１２を、断面を逆Ｌ字形にした逆Ｌ字形固定枠２６に代え、該逆Ｌ字形固定枠２６をフランジ部１０の外壁縦状部１０ａに取着したものである。
【００２６】
参考例１を使用する際は、先ず、水槽３に水を満たす。水槽３の開口部７を覆った可撓性シート２上に患者を乗せる。
開口部７には、張設されている可撓性シート２が患者を支持する。可撓性シート２は可撓性シート２下の水の浮力を受ける。可撓性シート２上の患者体重の大部分は前記浮力で支持される。
【００２７】
可撓性シート２は、伸縮性を有しているので、患者に押されて自在に変形し患者外形状によく添うと共に、噴射水を受けて自在に凸状に変形する。
【００２８】
循環ポンプ６を駆動させると、循環ポンプ６は吸入口２１から水槽３内の水を吸入し、吸入した水をノズル１７から噴射する。噴射水は、可撓性シート２に衝突する。
【００２９】
可撓性シート２は、伸縮性を有しているので、可撓性シート２上の患者外形状によく添う。更に、噴射水が下から可撓性シート２を押し上げると、可撓性シート２は上方に瞬時突出変形し、患者を押圧しマッサージ刺激を与える。
即ち、可撓性シート２は、噴射水の衝撃に係るエネルギーの減滅を少なくして、当該エネルギーを患者に伝導する。
【００３０】
ノズル１７は、台車１５の移動に伴って縦方向（＝水槽３の長手方向）に移動する。
【００３１】
参考例１の水槽３の開口部７周囲に設けられるフランジ部１０に、水槽３上側開口部７を覆う前記可撓性シート２を止着するという止着作業の際、先ず、フランジ部１０に可撓性シート２をあてがう。
当該可撓性シート２を、仮止め部１１に引っ掛け仮止めする。前記可撓性シート２の外側（＝表側）に、固定枠１２を載置し、該固定枠１２を止め具１３で押さえ止め、当該可撓性シート２をフランジ部１０に固定する。
【００３２】
フランジ部１０に設けられた段差部２４は、該段差部２４に密着載置する可撓性シート２を、段差部２４の曲面に添って曲折させ、フランジ部１０と可撓性シート２との間に生じる摩擦抵抗を増加させる。更に、可撓性シート２の張設時に段差部２４は、可撓性シート２に所定の張力の獲得を容易にする。
【００３３】
第１実施例では、可撓性シート２張設時に、可撓性シート２をフランジ部１０に載せ、フランジ部１０と可撓性シート２とに止め具１３を貫通させれば、止め具１３が仮止め作用を現わす。第１実施例では、フランジ部１０の平面視幅が狭くても可撓性シート２を確実に取着できるという長所がある。
【００３４】
図３に示す第２実施例は、参考例１における固定枠１２を、断面がＬ字形のＬ字形固定枠２５に代えたものである。
Ｌ字形固定枠２５の上向き縦部２５ａの外面には外方に向かって仮止め部１１が突設される。
【００３５】
図６に示す第３実施例は、参考例１における固定枠１２を、断面が伏せ椀形の伏せ椀形固定枠２９に代えたものである。
【００３６】
図４に示す参考例２は、参考例１における固定枠１２を、断面が逆Ｌ字形の逆Ｌ字形固定枠２６に代え、参考例１におけるフランジ部１０を平坦な平坦フランジ部２７に代えたものである。
逆Ｌ字形固定枠２６の下向き縦部２６ａ内面には段差部２４が形成される。
【００３７】
図５に示す参考例３は、参考例２における固定枠１２を、断面がクランク形のクランク形固定枠２８に代えたものである。
クランク形固定枠２８の上向き縦部２８ａ外面には外方に向かって仮止め部１１が突設される。
【００３８】
図７に示す参考例４は、第３実施例における伏せ椀形固定枠２９の外側面に仮止め部１１が突設されたものである。
【００３９】
図９に示す参考例５は、参考例２における平坦フランジ部２７を、断面が皿形のテーパ付き凹条が上面に彫設されたテーパ凹条付きフランジ部３０に代え、参考例２における逆Ｌ字形固定枠２６を、断面が逆台形の逆台形固定枠３１に代えたものである。
【００４０】
参考例５の逆台形固定枠３１では、該逆台形固定枠３１がテーパ凹条付きフランジ部３０に、両部材の精度が粗くても嵌合し易く、しかも、テーパ凹条付きフランジ部３０と可撓性シートとのシール性が良好に確保できる。
【００４１】
図１０に示す参考例６は、参考例２における平坦フランジ部２７を、断面が台形の凸条が上面に突設された台形フランジ部３２に代え、参考例２における逆Ｌ字形固定枠２６を、断面が伏せ椀形の伏せ椀形固定枠２９に代えたものである。
【００４２】
図１１に示す参考例７は、参考例１におけるフランジ部１０を平坦フランジ部２７に代え、該平坦フランジ部２７上面にシール用突起部３３を突設したものである。
突起部３３を設けることにより、従来技術の可撓性シート２の取付時に該シート２を溝へ折り込むような手間が省けると共に、従来技術の枠を溝に勘合させることもないので、構成部品の精度を要求することもなく、簡単な組立でシール性を確保でき、シート２を傷める心配がなく、好都合である。
【００４３】
図１２に示す参考例８は、参考例１におけるフランジ部１０を平坦フランジ部２７に代え、固定枠１２の下面にシール用突起部３３を突設したものである。
【００４４】
図１３に示す参考例９は、参考例７における固定枠１２の下面にシール用突起部３３を突設し、平坦フランジ部２７と固定枠１２の双方にシール用突起部３３を設けたものである。
シール用突起部３３をフランジ部１０と固定枠１２の両方に設けたものでは、シール性が向上すると共に、フランジ部１０と固定枠１２のシール用突起部３３が可撓性シート２確実に固定する。即ち、可撓性シート２上に被マッサージ者が横臥するなどして荷重が作用した場合に、シート固定構造４は、シート２がずれることを抑えることができ、好都合である。
【００４５】
図１４に示す参考例１０は、参考例８における固定枠１２の下面に設けられるシール用突起部３３を無数に増設したものである。
【００４６】
図１５に示す参考例１１は、参考例７における平坦フランジ部２７のシール用突起部３３を無数に増設したものである。
【００４７】
図１６に示す参考例１２は、参考例７における固定枠１２を、断面がコ字形のコ字形固定枠３４に代えたものである。
コ字形固定枠３４の、上辺部３４ａの下面にはシール用突起部３３が設けられ、下辺部３４ｂには上下方向に進退動する止め具１３が螺着される。
前記止め具１３は上方に進出して平坦フランジ部２７を押さえ止めている。
【００４８】
コ字形固定枠３４は、平坦フランジ部２７の縁を銜え込むように取り付ける。即ち、止め具１３を進出させて平坦フランジ部２７の下面に押し当て、当該コ字形固定枠３４の上辺部３４ａのシール用突起部３３で、可撓性シール２を平坦フランジ部２７に密着固定させる。
【００４９】
図１７に示す参考例１３は、参考例７における固定枠１２を、予め止め具を一体的に固設した止め具付固定枠３５に代えたものである。
参考例１３では、可撓シート２を水槽３へ張設する作業時に、平坦フランジ部２７へ可撓性シート２を載置した後、平坦フランジ部２７と可撓性シート２とを止め具部分３５ａをもって該可撓性シート２をフランジ部１０へ仮止めできる。
【００５０】
図１８に示す参考例１４は、参考例７における平坦フランジ部２７に止め具を上方に向けて一体的に固設したものである。
可撓性シート２を水槽３へ張設する作業時に、当該可撓性シート２をフランジ部１０に一体的に固設された止め具部分２７ａに掛止することにより仮止めできる。
【００５１】
図１９に示す参考例１５は、参考例８における平坦フランジ部２７の、固定枠１２に設けたシール用突起部３３に相対する部分に、凹部３６を彫設したものである。平坦フランジ部２７上に載設される可撓性シート２は、固定枠１２のシール用突起部３３で下方へ押圧されて凹部３６で曲折する。
本発明は、フランジ部１０又は固定枠１２は、シール用突起部３３に相対する部分に凹部３６を有する。突起部に対して凹部３６を設けることにより、シール性を向上させると共に、シート２上に被マッサージ者が横臥するなどして荷重が作用した場合に、シート固定構造４でシート２がずれることを抑えることができ、好都合である。
【００５２】
図２０に示す参考例１６は、参考例７における固定枠１２の、フランジ部２７に設けたシール用突起部３３に相対する部分に、凹部３６を彫設したものである。平坦フランジ部２７上に載設される可撓性シート２は、平坦フランジ部２７のシール用突起部３３で上方へ押圧されて凹部３６で曲折する。
【００５３】
図２１に示す参考例１７は、参考例７における平坦フランジ部２７に設けたシール用突起部３３を除去し、除去した該平坦フランジ部２７と可撓性シート２の間にシール用部材３７を設けたものである。
固定枠１２で可撓性シート２を押さえると，シール用部材３７は可撓性シート２を平坦フランジ部２７にシールする。
本発明は、フランジと可撓性シート２との間にシール用部材３７を設けたものである。前記シール用部材３７により、フランジ部１０と固定枠１２にシール用突起部３３や凹部３６を設けることなく、簡単な構成及び組立で可撓性シート２をフランジ部１０へシールでき、シート２を傷める心配がなく、好都合である。
また、従来技術のように、可撓性シート２の取付時に溝へ折り込むような手間が省けると共に、従来技術のように、枠を溝に勘合させることもないので、簡単な組立でシール性を確保でき、構成部品の精度を要求することもなく、シート２を傷める心配がなく、好都合である。
【００５４】
【発明の効果】
本発明は、フランジ部１０に可撓性シート２を固定枠１２で固定する水圧マッサージ機１において、フランジ部１０及び／又は固定枠１２に段差部２４を有するものである。
【００５５】
前記段差部２４は、可撓性シート２を仮固定した後、可撓性シート２を固定枠１２及び止め具１３でフランジ面に押さえ付けると、可撓性シート２に所定の張力が得られる。その為、可撓性シート２の張設作業時に張力を増強調整する手間が不要であり、増強調整作業に熟練を必要とせず、好都合である。
又、フランジ部１０と固定枠１２の両方に段差部２４を設けると、より大きな張力が得られ、シート固定構造４をコンパクトにでき、好都合である。
【００５６】
本発明は、フランジ部１０又は固定枠１２に可撓性シート２を仮止めする仮止め部１１を設け、可撓性シート２の張設時に所定の張力を得られるようにしたものである。可撓性シート２を仮固定した後可撓性シート２を固定枠１２及び止め具１３でフランジ面に押さえ付けると同時に可撓性シート２の所定の張力が得られるため、可撓性シート２の張設作業に張力を調整する手間やその作業の熟練を必要とせず、好都合である。
【００５７】
本発明は、逆Ｌ字形固定枠２６をフランジ部１０の外壁縦状部１０ａに取着したものであり、この構成では、可撓性シート２張設時に、可撓性シート２をフランジ部１０に載せ、フランジ部１０と可撓性シート２とに止め具１３を貫通させれば、止め具１３が仮止め作用を現わす。
【００５８】
更に、上述の逆Ｌ字形固定枠２６をフランジ部１０の外壁縦状部１０ａに取着したものでは、フランジ部１０の平面視幅が狭くても可撓性シート２を確実に取着できるという長所がある。
【図面の簡単な説明】
【００５９】
【図１】  本発明の参考例１の部分断面図である。
【図２】  本発明の第１実施例の断面図である。
【図３】  本発明の第２実施例の部分断面図である。
【図４】  本発明の参考例２の部分断面図である。
【図５】  本発明の参考例３の部分断面図である。
【図６】  本発明の第３実施例の部分断面図である。
【図７】  本発明の参考例４の部分断面図である。
【図８】  本発明の第１実施例の部分断面図である。
【図９】  本発明の参考例５の部分断面図である。
【図１０】  本発明の参考例６の部分断面図である。
【図１１】  本発明の参考例７の部分断面図である。
【図１２】  本発明の参考例８の部分断面図である。
【図１３】  本発明の参考例９の部分断面図である。
【図１４】  本発明の参考例１０の部分断面図である。
【図１５】  本発明の参考例１１の部分断面図である。
【図１６】  本発明の参考例１２の部分断面図である。
【図１７】  本発明の参考例１３の部分断面図である。
【図１８】  本発明の参考例１４の部分断面図である。
【図１９】  本発明の参考例１５の部分断面図である。
【図２０】  本発明の参考例１６の部分断面図である。
【図２１】  本発明の参考例１７の部分断面図である。
【図２２】  本発明の第１実施例の平面図である。
【符号の説明】
【００６０】
２  可撓性シート
３  水槽
７  開口部
１０  フランジ部
１０ａ外壁縦状部
１１  仮止め部
１２  固定枠
１３  止め具
２４  段差部
２５  Ｌ字形固定枠
２５ａ上向き縦部
２６  逆Ｌ字形固定枠
２９  伏せ椀形固定枠
３３  シール用突起部
３６  凹部
３７  シール用部材
【図１】
0004051192.tif 000002
【図２】
0004051192.tif 000003
【図３】
0004051192.tif 000004
【図４】
0004051192.tif 000005
【図５】
0004051192.tif 000006
【図６】
0004051192.tif 000007
【図７】
0004051192.tif 000008
【図８】
0004051192.tif 000009
【図９】
0004051192.tif 000010
【図１０】
0004051192.tif 000011
【図１１】
0004051192.tif 000012
【図１２】
0004051192.tif 000013
【図１３】
0004051192.tif 000014
【図１４】
0004051192.tif 000015
【図１５】
0004051192.tif 000016
【図１６】
0004051192.tif 000017
【図１７】
0004051192.tif 000018
【図１８】
0004051192.tif 000019
【図１９】
0004051192.tif 000020
【図２０】
0004051192.tif 000021
【図２１】
0004051192.tif 000022
【図２２】
0004051192.tif 000023